(57)【要約】【課題】嵌合時における第１コネクタ、第２コネクタ及びコネクタ機器の破損を防止すると共に、第１コネクタと第２コネクタとが、接触不良を起こすことなく、安定して嵌合できるようにしたコネクタ機器を提供する。【解決手段】プリント基板３を固定する支持部材４が第２コネクタ１を移動可能に支持し且つ第１コネクタ２０が有する嵌合ガイド２１ａ，２１ｂと第２コネクタの有する嵌合ガイド１５ａ，１５ｂとの係合により第２コネクタを電気的接続位置に導くように案内する案内壁２３ａ，２３ｂと、支持部材に設けられ且つ第２コネクタの移動範囲を所定範囲に規制するスペーサ６ａ，６ｂ、長丸穴７ａ，７ｂと、第１コネクタが抜去された場合に第２コネクタを元の位置に戻すコイルバネ１１ａ，１１ｂと、第２コネクタとプリント基板とを電気的に接続するフレキシブルケーブル２とを具備して成り、少なくとも第２コネクタがスペーサ、長丸穴により規制される範囲内を変位した場合にフレキシブルケーブルによる電気的接続状態が保持される。【選択図】      図５
2004349205.tif 000002
【特許請求の範囲】
【請求項１】
信号を授受するために外部装置に設けられた第１コネクタと、該第１コネクタと接続する第２コネクタ及びプリント基板を有するコネクタ機器であって、
前記プリント基板を固定する支持部材が前記第２コネクタを移動可能に支持し且つ前記第１コネクタが有する嵌合ガイドと前記第２コネクタの有する嵌合ガイドとの係合により前記第２コネクタを電気的接続位置に導くように案内する案内手段と、
前記支持部材に設けられ且つ前記第２コネクタの移動範囲を所定範囲に規制する移動範囲規制手段と、
前記第１コネクタが抜去された場合に前記第２コネクタを元の位置に戻す第２コネクタ復帰手段と、
前記第２コネクタと前記プリント基板とを電気的に接続する可撓性接続手段とを具備して成り、
少なくとも前記第２コネクタが前記移動範囲規制手段により規制される範囲内を変位した場合に前記可撓性接続手段による電気的接続状態が保持されることを特徴とするコネクタ機器。
【発明の詳細な説明】
【０００１】
【発明の属する技術分野】
本発明は、外部と信号を授受するために外部装置に設けられた第１コネクタと、該第１コネクタと接続する第２コネクタ及びプリント基板を有するコネクタ機器に関する。
【０００２】
【従来の技術】
一般に、記憶媒体を内蔵する外部装置であるＣＦ（コンパクトフラッシュ（登録商標））カード等のＩＣメモリーカードは、側面に情報処理装置が有するコネクタ（以下、第２コネクタと記述する）と嵌合するためのコネクタ（以下、第１コネクタと記述する）を有している。
【０００３】
また、近年では、情報処理装置等に着脱可能なハードディスク等も存在し、やはり側面に第１コネクタを有している。
【０００４】
情報処理装置は、第１コネクタと嵌合する第２コネクタとプリント基板とから成るコネクタ機器を備えており、第１コネクタと第１コネクタは互いに嵌合して信号の授受を行うことができ、外部装置の内部の記憶媒体は、第１コネクタ及び第２コネクタを介してプリント基板と電気的接続を行う。
【０００５】
従来では、通常、第２コネクタは半田で直接プリント基板に固定接続され、プリント基板は、更に情報処理装置の筐体に固定されているので、第２コネクタは不動状態となっていた（特許文献１乃至５参照）。
【０００６】
【特許文献１】
特開平１０−５００４８号公報
【特許文献２】
特開平１０−３７９１５号公報
【特許文献３】
特開平９−３０６４４８号公報
【特許文献４】
特開平９−４４６１３号公報
【特許文献５】
特開平５−１７４５６７号公報
【０００７】
【発明が解決しようとする課題】
従って、上述した従来例では、第１コネクタが第２コネクタに所定の嵌合位置からずれて嵌入した際に、第１コネクタより伝わった力が第２コネクタと半田で結合されたプリント基板の接点部に直に伝達するために、該接点部には大きな力が加わり、半田の剥離や、それに伴う接触不良等を発生していた。
【０００８】
また、第１コネクタが所定の嵌合位置からズレを生じて嵌入して無理に押し込まれることにより、第２コネクタ、コネクタ機器及び第１コネクタの一部を破損することもあった。
【０００９】
本発明は、上述した従来技術の有する問題点を解消するためになされたもので、その目的は、嵌合時における第１コネクタ、第２コネクタ及びコネクタ機器の破損を防止すると共に、第１コネクタと第２コネクタとが、接触不良を起こすことなく、安定して嵌合できるようにしたコネクタ機器を提供することである。
【００１０】
【課題を解決するための手段】
上記目的を達成するために本発明のコネクタ機器は、外部との授受するために外部装置に設けられた第１コネクタと、該第１コネクタと接続する第２コネクタ及びプリント基板を有するコネクタ機器であって、前記プリント基板を固定する支持部材が前記第２コネクタを移動可能に支持し且つ前記第１コネクタが有する嵌合ガイドと前記第２コネクタの有する嵌合ガイドとの係合により前記第２コネクタを電気的接続位置に導くように案内する案内手段と、前記支持部材に設けられ且つ前記第２コネクタの移動範囲を所定範囲に規制する移動範囲規制手段と、前記第１コネクタが抜去された場合に前記第２コネクタを元の位置に戻す第２コネクタ復帰手段と、前記第２コネクタと前記プリント基板とを電気的に接続する可撓性接続手段とを具備して成り、少なくとも前記第２コネクタが前記移動範囲規制手段により規制される範囲内を変位した場合に前記可撓性接続手段による電気的接続状態が保持されることを特徴とする。
【００１１】
【発明の実施形態】
以下、本発明の各実施の形態を、図面に基づき説明する。
【００１２】
（第１の実施の形態）
まず、本発明の第１の実施の形態を、図１乃至図７を用いて説明する。
【００１３】
図１は、本実施の形態に係るコネクタ機器の構成を示す斜視図、図２は、図１の一部拡大図である。
【００１４】
本実施の形態に係るコネクタ機器は、情報処理装置本体セット側に設ける。また、このコネクタ機器には、前記情報処理装置本体と接続する後述の筐体に記憶媒体が内蔵された外部装置が挿抜可能に配設される。
【００１５】
以下、本実施の形態に係るコネクタ機器の詳細について、図１及び図２を用いて説明する。
【００１６】
プリント基板３には接続部８が設けられ、この接続部８からは、フレキシブルケーブル２が延出している。このフレキシブルケーブル２の一端は、第２コネクタ１に設けられた接続部９に挿入されている。従って、第２コネクタ１は、プリント基板３とフレキシブルケーブル２を介して電気的に接続することができる。そのため、この場合、第２コネクタ１がプリント基板３に対して変位した場合は、フレキシブルケーブル２がその動きに合わせて変形するため、接続部８には、第２コネクタ１の移動に伴う余計な力は殆ど伝達されない。従って、第２コネクタ１は、プリント基板３と電気的接続状態を保ったまま移動することが可能になっている。
【００１７】
また、プリント基板３は、板金部品である支持部材４にネジ１３ａ，１３ｂ，１３ｃ，１３ｄによって固定されている。支持部材４は、一体に切り起こされた案内部１０ａ，１０ｂ，１０ｃ，１０ｄを有している。また、支持部材４は、軸受１７ａ，１７ｂが固定された立ち上げ部を左右両側に有しており、これらの軸受１７ａ，１７ｂに第２コネクタ１と一体に形成された円柱状のガイド軸１２ａ，１２ｂが挿入され、案内部１０ａ，１０ｂ，１０ｃ，１０ｄと共に、第２コネクタ１が左右方向に変位した場合に、ガイド軸１２ａ，１２ｂのスラスト方向である左右方向の案内を行う。また、ガイド軸１２ａ，１２ｂによってコイルバネ１１ａ，１１ｂの内径が案内され且つ圧縮された状態で配置されている。
【００１８】
コイルバネ１１ａ，１１ｂは、第２コネクタ１の左右側面と支持部材４の立ち上げ部の内面によって挟まれている。従って、コイルバネ１１ａ，１１ｂは、ガイド軸１２ａ，１２ｂに案内されて伸縮し、第２コネクタ１が移動した場合に、元に戻そうとする復元力を発生させる。
【００１９】
図１の第２コネクタ１の状態は、第２コネクタ１自体に外力が加わっていない自由な状態であり、この状態を第２コネクタ１の定常状態と記述することとする。
【００２０】
本発明でいう第２コネクタ復帰手段は、このコイルバネ１１ａ，１１ｂの作用によるものである。
【００２１】
以上のように案内される第２コネクタ１は、支持部材４のベース部上面を滑って左右に移動する。
【００２２】
第２コネクタ１には、長丸穴７ａ，７ｂが穿設され、その長丸穴７ａａ，７ｂに対してスペーサ６ａ，６ｂが多少の遊びをもって嵌入し、ネジ５ａ，５ｂにより支持部材４に固定されている。スペーサ６の一端部には、フランジ状の抜け止め部１６ａ，１６ｂ，１６ｃ，１６ｄ（図２参照）が設けられている。抜け止め部１６ａ〜１６ｄの下面から支持部材４のベース面の取り付け基部までの高さは、第２コネクタ１の高さよりも高くなっているため、第２コネクタ１は、スペーサ６の抜け止め部１６ａ〜１６ｄの下面と支持部材４のベース部との間に挟まっているだけで、固定されておらず、左右方向の移動が自由になっている。そのため、第２コネクタ１は、スペーサ６ａ，６ｂが長丸穴７ａ，７ｂ内を動ける範囲内で左右に移動することができる。つまり、スペーサ６ａ，６ｂと長丸穴７ａ，７ｂが第２コネクタ１の可動範囲を規制している。
【００２３】
以上の構成による第２コネクタ１、長丸穴７ａ，７ｂ、スペーサ６ａ，６ｂ、ネジ５ａ，５ｂ、支持部材４によって、第２コネクタ１が特定の範囲内で移動可能に設定されおり、この構成から生ずる作用が本発明でいう移動範囲規制手段の作用である。
【００２４】
また、第２コネクタ１の接続部９と対抗位置に形成された接続部１４には、該接続部１４と機械的且つ電気的に接続する第１コネクタ（詳細は後述する）が機械的に接合する時の案内となるガイド部１５ａ，１５ｂａが形成されている。ガイド部１５ａ，１５ｂａは、その先端両角部が傾斜状となっている。これらのガイド部１５ａ，１５ｂは、両コネクタ同士が互いに嵌合する際に（嵌合の様子は後述する）、第２コネクタ１を互いの接触子が接触する正規の位置関係へと移動させる働きを生ずる。
【００２５】
本発明で言う案内手段であるガイド部１５ａ，１５ｂによって、第２コネクタ間に移動作用が生ずる。
【００２６】
次に、第２コネクタ１が変位した場合の様子を、図３を用いて詳細に説明する。
【００２７】
図３（Ａ）、（Ｂ）は、それぞれ、第２コネクタ１を指１６で左右に押した場合に、第２コネクタ１がどのような力が動くかを示す上面図である。
【００２８】
図３（Ａ）のように、第２コネクタ１が指１６によって矢印方向（図において右方向）に押されると、この第２コネクタ１は図において右方向に移動する。その後、長丸穴７ａ，７ｂの側面が、それぞれスペーサ６ａ，６ｂの側面に当接した位置、即ち図３（Ａ）の位置で停止する。その際に、フレキシブルケーブル２が図のように変形するため、移動後も第２コネクタ１は、プリント基板３と電気的接続状態を保ったままとなる。また、コイルバネ１１ｂは圧縮し、その反発力により第２コネクタ１は、移動前の定常状態に戻そうとする力を受ける。
【００２９】
一方、図３（Ｂ）のように、第２コネクタ１が指１６によって矢印方向（図において左方向）に押されると、図３（Ａ）とは反対方向（図において左方向）に第２コネクタ１は移動する。この第２コネクタ１の移動に伴いフレキシブルケーブル２は変形するため、接続部８には移動に伴う余計な力が発生することはない。
【００３０】
図３（Ａ）と同様にコイルバネ１１ａは圧縮しているため、その反発力により第２コネクタ１は、移動前の定常状態に戻そうとする力を受けている。
【００３１】
以上のように、第２コネクタ１は、図３（Ａ）と図３（Ｂ）との間をプリント基板３と電気的接続状態を保ったまま移動することができる。
【００３２】
次に、本実施の形態に係るコネクタ機器と着脱自在に設けられ且つ記憶媒体を内蔵した外部装置を交えて、その係わり合いについて図４を用いて説明する。
【００３３】
図４は、本実施の形態に係るコネクタ機器の第２コネクタ１に外部装置の第１コネクタが嵌入する直前を表した斜視図であり、同図において、図１乃至３と同一部分には同一符号が付してある。
【００３４】
図４において、１８は記憶媒体が内蔵された略直方体形状の筐体を有する外部装置で、その最小一側面に第１コネクタ２０が設けられている。
【００３５】
尚、図４において、２４は支持部材で、図１、図２及び図３で示した支持部材４に案内壁２３ａ，２３ｂを付け加えて一体形成している。案内壁２３ａ，２３ｂは、外部装置１８の２つの側面を挟むように配置され、外部装置１８を概略第２コネクタ１と接合する位置へ導く様に案内している。
【００３６】
尚、案内壁２３ａ，２３ｂの内間隔は、外部装置１８の対応する横幅が個別のセットによりばらつくため、その最大のものが用いられても許容される様に、最大横幅のものに合わせて設定してある。
【００３７】
案内壁２３ａ，２３ｂ以外の支持部材２４の機能としては、図１、図２及び図３で示した支持部材４と同じである。
【００３８】
外部装置１８の第１コネクタ２０は第２コネクタ１と嵌合し、接点部１９を介して第２コネクタ１と電気的接続を行う。第１コネクタ２０は、嵌合ガイド２１ａ，２１ｂを有している。これらの嵌合ガイド２１ａ，２１ｂは、第２コネクタ１の嵌合ガイド１５ａ，１５ｂとそれぞれ係合し、嵌合ガイド２１ａ，２１ｂの各々のガイド面２２，２２ｂが、第２コネクタ１の嵌合ガイド１５ａ，１５ｂに接して力を伝達し、第２コネクタ１を移動させる力を発生させる。
【００３９】
図５は、外部装置１８の側面にある第１コネクタ２０がコネクタ機器の有する第２コネクタ１に所定の嵌合位置からずれを生じながら嵌入しようとしている直前を表した上面図である。
【００４０】
また、図６及び図７は、図５における第１コネクタ２０と第２コネクタ１とが係合を開始した場合の一部拡大図である。
【００４１】
以下、図５乃至図７を用いて、外部装置１８が側面に有する第１コネクタ２０と第２コネクタ１とが嵌合する様子を説明する。
【００４２】
尚、図５乃至図７において、Ｋは係合部を表している。
【００４３】
図５乃至図７において、外部装置１８が図の右側にずれた状態で第２コネクタ１に向かって搬送されている。前述の様にコネクタ機器側の第２コネクタ１が図の左右方向に移動可能になっているので、一方が他方に倣って移動して嵌合することができる。
【００４４】
本実施の形態では、第１コネクタ２０の進入に伴い嵌合ガイド２１ａが嵌合ガイド１５ａに当接して力を伝え、第２コネクタ１が動く構成になっている。
【００４５】
図６において、係合部Ｋの円内において嵌合ガイド２１ａと嵌合ガイド１５ａとが接触している。外部装置１８は、そのまままっすぐ第２コネクタ１に向かってくると、嵌合ガイド２１ａは嵌合ガイド１５ａの接面に対して垂直方向に力を伝える。この力を受けた第２コネクタ１は、図３で説明したように、図６の矢印方向（図において右方向）に移動する。
【００４６】
更に第１コネクタ２０が進入してくると、やがて嵌合ガイド２１ｂが嵌合ガイド１５ｂ  と接触し、嵌合ガイド１５ａ，１５ｂが嵌合ガイド２１ａ，２１ｂを外側から挟むようにして入り込み、第２コネクタ１の移動が停止する。この位置が、電気的接続がなされて嵌合している状態である。このように移動して、第１コネクタ２０と第２コネクタ１とが嵌合した様子を表したのが図７である。
【００４７】
第２コネクタ１が移動しても、フレキシブルケーブル２がそれに伴い変形しているので、外部装置１８は、第１コネクタ２０及びフレキシブルケーブル２を介してプリント基板３と電機的に接続されて、信号の授受を行うことができる。
【００４８】
その後、外部装置１８をコネクタ機器より離脱した場合、第１コネクタ２０が第２コネクタ１から離れると、コイルバネ１１ａ，１１ｂの作用により、図６の第２コネクタ１は定常状態に復帰する。
【００４９】
従って、第２コネクタ１は、移動可能状態でありながら、常に同じ位置に待機し、外部装置１８の装着位置が変化しても、また横幅がばらついても、更に横幅に対する第１コネクタ２０の取り付け位置が一定でなくても、正常に電気的接続状態を形成することができる。
【００５０】
上記のような構成にすることで、嵌合する第１コネクタ２０及び第２コネクタ１の嵌合部相互間にかかる力が低減され、第１コネクタ２０、第２コネクタ１及びコネクタ機器の破損が防止でき、第２コネクタ１とプリント基板３との接触不良が起らず、更に安定した嵌合がなされる。
【００５１】
（第２の実施の形態）
次に、本発明の第２の実施の形態を図８に基づき説明する。
【００５２】
本実施の形態において、上述した第１の実施の形態と異なる点は、第１の実施の形態における嵌合ガイド２１ａ，２１ｂと嵌合ガイド１５ａ，１５ｂの構成である。
【００５３】
図８は、本実施の形態に係るコネクタ機器及び外部装置を表した斜視図であ離、同図において、第１の実施の形態と同一部分には同一符号が付してある。
【００５４】
図８において、１０１ａ，１０１ｂは嵌合ガイドで、外部装置１０３に取り付けた第１コネクタ１０２の側面に配置されているが、その形状は円柱状であり且つ第２コネクタ１０４に対向する端面は、傾斜面状に面取りされている。
【００５５】
また、嵌合ガイド１０５ａ，１０５ｂは、第２コネクタ１０４の側面に配置されているが、その形状は円筒状穴であり、第２コネクタ１０４に対向する端面は、嵌合ガイド１０１ａ，１０１ｂと同じ傾斜面状に面取りされている。
【００５６】
嵌合ガイド１０１ａ，１０１ｂの面取りした部位と、嵌合ガイド１０５ａ，１０５ｂの面取りした部位とが互いに接触し、第２コネクタ１０４に力が発生し、この第２コネクタ１０４は、第１の実施の形態で説明したように移動する。
【００５７】
やがて、嵌合ガイド１０１ａ，１０１ｂが、嵌合ガイド１０５ａ，１０５ｂにそれぞれ入り込み、所定の嵌合位置への位置決めがなされ、第２コネクタ１０４と第１コネクタ１０２との嵌合が完了する。
【００５８】
（その他の実施の形態）
上述した実施の形態において、コイルバネは、第２コネクタを復帰させる作用を有しているが、復帰させる機能を有している部材、つまり弾性部材ならば、例えば、板バネ等を用いても同じ効果が得られる。
【００５９】
また、外部装置は、情報処理装置本体に着脱可能なリムーバブルハードディスクでも、ＣＦ（コンパクトフラッシュ（登録商標））カード、ＳＤ（セキュアーデジタル）メモリーカード等の所謂ＩＣメモリーカードでも、情報を記憶することができ、側面に第１コネクタを有するものであれば、どんな外部装置であっても実現することが可能である。
【００６０】
また、外部装置を搬送する手段は、手動でも自動でも本発明は適用可能である。
【００６１】
また、本発明で用いたフレキシブルケーブルは、完全にリジットな接続ケーブルではなく、多少の可撓性があり且つ変形可能で電気的接続を行えるものであれば、本発明を構成することができ、本発明の趣旨に反するものではない。
【００６２】
また、第２コネクタと第１コネクタの役割は、容易且つ確実に嵌合して、プリント基板と外部装置とを電気的に接続する機能のみを有するので、第１コネクタ側の嵌合ガイドを円柱状に、コネクタ機器側の第２コネクタの嵌合ガイドを円筒状穴に構成しても本発明は実現できる。
【００６３】
更に、第１の実施の形態での嵌合ガイド２２ａ，２２ｂと、嵌合ガイド１５ａ，１５ｂとを互いに逆に設けても、本発明は実施可能であることは言うまでもない。
【００６４】
以上では、本発明の様々な例と実施形態を説明したが、当業者であれば、本発明の趣旨と範囲は本明細書内の特定の説明と図に限定されるものではなく、本願特許請求の範囲に全て述べられた様々な修正と変更に及ぶことが可能であることは言うまでもない。
【００６５】
本発明の実施態様の例を以下に列挙する。
【００６６】
［実施態様１］  信号を授受するために外部装置に設けられた第１コネクタと、該第１コネクタと接続する第２コネクタ及びプリント基板を有するコネクタ機器であって、
前記プリント基板を固定する支持部材が前記第２コネクタを移動可能に支持し且つ前記第１コネクタが有する嵌合ガイドと前記第２コネクタの有する嵌合ガイドとの係合により前記第２コネクタを電気的接続位置に導くように案内する案内手段と、
前記支持部材に設けられ且つ前記第２コネクタの移動範囲を所定範囲に規制する移動範囲規制手段と、
前記第１コネクタが抜去された場合に前記第２コネクタを元の位置に戻す第２コネクタ復帰手段と、
前記第２コネクタと前記プリント基板とを電気的に接続する可撓性接続手段とを具備して成り、
少なくとも前記第２コネクタが前記移動範囲規制手段により規制される範囲内を変位した場合に前記可撓性接続手段による電気的接続状態が保持されることを特徴とするコネクタ機器。
【００６７】
［実施態様２］  前記外部装置は、略直方体形状であって、その最小一側面に前記第１コネクタが配置され且つ内部に記憶媒体が内蔵され且つコネクタ機器に着脱可能であることを特徴とする実施態様１に記載のコネクタ機器。
【００６８】
［実施態様３］  前記第１コネクタが配置された前記外部装置の最小一側面と直交し且つ互いに対向する二つの側面を案内する案内部材を具備し、前記案内部材との間での前記外部装置の遊び範囲を吸収し得る嵌合ガイドが前記第１及び第２コネクタに設けられ、前記嵌合ガイドに従い前記第１コネクタに倣って前記第２コネクタが移動する移動範囲は、少なくとも前記移動範囲規制手段の規制範囲に含まれ、前記可撓性接続手段による電気的接続状態が保持されて前記支持部材により移動可能に支持されることを特徴とする実施態様２に記載のコネクタ機器。
【００６９】
【発明の効果】
以上のように本発明によれば、第２コネクタを可動に支持しているため、第２コネクタと第１コネクタとの間には余分な力がかからなくなる。従って、第１コネクタ及び第２コネクタの嵌合時等における破損を防止できる。
【００７０】
また、第２コネクタが可撓性接続手段を介してプリント基板と接続されているため、第２コネクタとプリント基板の接触不良が起らない。
【００７１】
また、常に一定の場所に第２コネクタが戻るため、常に同じ条件で安定した嵌合が行える。
【００７２】
更に、自動で外部装置を搬送する際等には、第１コネクタと第２コネクタとの嵌合力が大幅に低減できるため、搬送にかかる駆動源もより小さなもので構成することができ、コストを削減することができる。
【図面の簡単な説明】
【図１】本発明の第１の実施の形態に係るコネクタ機器の構成を示す斜視図である。
【図２】図１の一部拡大図である。
【図３】本発明の第１の実施の形態に係るコネクタ機器における第２コネクタを指で左右に押した場合に第２コネクタがどのように動くかを示す上面図である。
【図４】本発明の第１の実施の形態に係るコネクタ機器における第２コネクタに、外部装置の側面にある第１コネクタが嵌入する直前を示す斜視図である。
【図５】本発明の第１の実施の形態に係るコネクタ機器における第２コネクタに外部装置の側面にある第１コネクタが所定の嵌合位置からずれを生じながら嵌入する直前を示す上面図である。
【図６】図５における第１コネクタと第２コネクタが係合を開始した場合の一部拡大図である。
【図７】図５における第１コネクタと第２コネクタが係合を開始した場合の一部拡大図である。
【図８】本発明の第２の実施の形態に係るコネクタ機器及び外部装置を示す斜視図である。
【符号の説明】
１        第２コネクタ
２        フレキシブルケーブル
３        プリント基板
４        支持部材
５ａ      ネジ
５ｂ      ネジ
６ａ      スペーサ
６ｂ      スペーサ
７ａ      長丸穴
７ｂ      長丸穴
８        接続部
９        接続部
１０ａ    案内部
１０ｂ    案内部
１０ｃ    案内部
１０ｄ    案内部
１１ａ    コイルバネ
１１ｂ    コイルバネ
１２ａ    ガイド軸
１２ｂ    ガイド軸
１３ａ    ネジ
１３ｂ    ネジ
１３ｃ    ネジ
１３ｄ    ネジ
１４      接続部
１５ａ    ガイド部
１５ｂ    ガイド部
１６ａ    抜け止め部
１６ｂ    抜け止め部
１６ｃ    抜け止め部
１６ｄ    抜け止め部
１７ａ    軸受
１７ｂ    軸受
１８      外部装置
１９      接点
２０      第１コネクタ
２１ａ    嵌合ガイド
２１ｂ    嵌合ガイド
２２ａ    ガイド面
２２ｂ    ガイド面
２３ａ    案内壁
２３ｂ    案内壁
２４      支持部材
１０１ａ  嵌合ガイド
１０１ｂ  嵌合ガイド
１０２    第１コネクタ
１０３    外部装置
１０４    第２コネクタ
１０５ａ  嵌合ガイド
１０５ｂ  嵌合ガイド
Ｋ        係合部
【図１】
2004349205.tif 000003
【図２】
2004349205.tif 000004
【図３】
2004349205.tif 000005
【図４】
2004349205.tif 000006
【図５】
2004349205.tif 000007
【図６】
2004349205.tif 000008
【図７】
2004349205.tif 000009
【図８】
2004349205.tif 000010